(57)【要約】【課題】場所をとらず、摺洗具や洗剤容器の形状に拘わらず使用でき、かつ摺洗具を清潔な状態で保管できる摺洗具ホルダーを提供する。【解決手段】摺洗具ホルダー(1)は、摺洗具を保持する保持部(B)と、この保持部(B)に一体に設けられた洗剤容器への装着手段(A)とを備えることを特徴とする。例えば、一対の挟持片(10)(10)が長さ方向の中間に突設された連結部(11)において枢着されるとともに一端側が閉じ合わせ方向に付勢され、他端側を押圧または押圧解除することにより開閉作動するものとなされ、前記一対の挟持片(10)(10)の一端側が閉じ合わせによって洗剤容器を挟持する装着手段(A)となされ、他端側が挟持片(10)(10)間に摺洗具を保持する保持部(B)となされている。【選択図】  図１
0003126592.tif 000002
【実用新案登録請求の範囲】
【請求項１】
摺洗具を保持する保持部と、この保持部に一体に設けられた洗剤容器への装着手段とを備えることを特徴とする摺洗具ホルダー。
【請求項２】
一対の挟持片が長さ方向の中間に突設された連結部において枢着されるとともに一端側が閉じ合わせ方向に付勢され、他端側を押圧または押圧解除することにより一端側が開閉作動するものとなされ、前記一対の挟持片の一端側が閉じ合わせによって洗剤容器を挟持する装着手段となされ、他端側が挟持片間に摺洗具を保持する保持部となされている請求項１に記載の摺洗具ホルダー。
【請求項３】
前記挟持片の一端側先端が二股に分岐して内側に屈曲することにより掴み部が形成されている請求項２に記載の摺洗具ホルダー。
【請求項４】
分岐した掴み部の長さに差が設けられている請求項３に記載の摺洗具ホルダー。
【請求項５】
前記挟持片の他端側内面に、摺洗具を斜めに保持するためのガイドが突設されている請求項２〜４のいずれか１項に記載の摺洗具ホルダー。
【考案の詳細な説明】
【技術分野】
【０００１】
この考案は、洗面所、浴室、台所等の水回り設備や各種器物の洗浄、あるいは身体洗浄等に汎用される摺洗具を保持する摺洗具ホルダーに関する。
【背景技術】
【０００２】
上記摺洗具は、用途に応じて様々な方法で保管あるいは収納される。
【０００３】
例えば、食器洗浄用の摺洗具はシンク内またはシンク周りの壁面に、吸盤等で摺洗具ホルダーを取り付けて置かれるのが一般的である（特許文献１、２参照）。また、ホルダーを用いない収納方法としては、スポンジに洗剤容器の頭部を挿入するための挿入孔を設け、洗剤容器に直接被せて保管する方法が提案されている（特許文献３参照）。
【特許文献１】実開平７−４３５３８号公報
【特許文献２】特開２００２−３２０５６１号公報
【特許文献３】実用新案登録第３１０８３７７号公報
【考案の開示】
【考案が解決しようとする課題】
【０００４】
食器洗浄用摺洗具であれば使用場所と保管場所がシンクまたはシンク周りに限定されるため、シンク周りに置きっぱなしにされるのが一般的であり、ホルダーの取付場所も容易に確保できる。しかし、浴室や洗面台、あるいは居室の床や窓の清掃に用いる摺洗具は清掃用具入れ等の使用場所とは異なる場所で保管されるのが一般的であり、ホルダーの取付場所を確保できないことがある。しかも、保管場所はシンクのような水回りではないので、使用後の湿った摺洗具を直に置くことも好ましくなく、清潔な保管方法が求められている。
【０００５】
一方、特許文献３に記載された収納方法は、挿入孔を設けた専用のスポンジでなければならず、摺洗具が消耗品であるにもかかわらず汎用性に乏しいという欠点がある。しかも、挿入孔は洗剤容器に対応する大きさが必要であり、頭部の大きい洗剤容器、例えば図４に示すようなトリガー式噴霧器(33)を取り付けた洗剤容器(2)には適さない。スポンジにこのような大きな挿入孔を設けるとスポンジの保水性や摺洗力が低下するからである。
【課題を解決するための手段】
【０００６】
本考案は、上述した現状に鑑み、場所をとらず、摺洗具や洗剤容器の形状に拘わらず使用でき、かつ摺洗具を清潔な状態で保管できる摺洗具ホルダーの提供を目的とする。
【０００７】
即ち、本考案の摺洗具ホルダーは下記〔１〕〜〔５〕に記載の構成を有する。
【０００８】
〔１〕  摺洗具を保持する保持部と、この保持部に一体に設けられた洗剤容器への装着手段とを備えることを特徴とする摺洗具ホルダー。
【０００９】
〔２〕  一対の挟持片が長さ方向の中間に突設された連結部において枢着されるとともに一端側が閉じ合わせ方向に付勢され、他端側を押圧または押圧解除することにより一端側が開閉作動するものとなされ、前記一対の挟持片の一端側が閉じ合わせによって洗剤容器を挟持する装着手段となされ、他端側が挟持片間に摺洗具を保持する保持部となされている前項１に記載の摺洗具ホルダー。
【００１０】
〔３〕  前記挟持片の一端側先端が二股に分岐して内側に屈曲することにより掴み部が形成されている前項２に記載の摺洗具ホルダー。
【００１１】
〔４〕  分岐した掴み部の長さに差が設けられている前項３に記載の摺洗具ホルダー。
【００１２】
〔５〕  前記挟持片の他端側内面に、摺洗具を斜めに保持するためのガイドが突設されている前項２〜４のいずれか１項に記載の摺洗具ホルダー。
【考案の効果】
【００１３】
〔１〕に記載の摺洗具ホルダーによれば、摺洗具を洗剤容器に装着できるので、摺洗具を清潔かつ場所を取らずに保管できる。
【００１４】
〔２〕に記載の摺洗具ホルダーによれば、装着する洗剤容器に対しても、保持する摺洗具に対しても融通が利きいて汎用性が高く、洗剤容器への着脱も簡単である。
【００１５】
〔３〕に記載の摺洗具ホルダーによれば、洗剤容器をしっかりと挟持できる。
【００１６】
〔４〕に記載の摺洗具ホルダーによれば、洗剤容器の形状に合わせてしっかりと装着することができる。
【００１７】
〔５〕に記載の摺洗具ホルダーによれば、保持した摺洗具の水切れが良い。
【考案を実施するための最良の形態】
【００１８】
図１〜図４に本考案の摺洗具ホルダーの一実施形態および使用方法を示す。
【００１９】
摺洗具ホルダー(1)は、一対の挟持片(10)(10)を向かい合わせに組み付けたものであり、その一端側が洗剤容器(2)への装着手段（Ａ）となされ、他端側が摺洗具(3)を保持する保持部（Ｂ）となされている。前記挟持片(10)は樹脂成形品である。
【００２０】
前記挟持片(10)において長さ方向の中間に連結部(11)が突設され、一対の挟持片(10)が該連結部(11)を内側にして配置されている。連結部(11)の先端面には２つの係合用突片(12)と２つの係合用凹部(13)とが交互に形成されている。前記係合用突片(12)の先端部は半円形に形成され、係合用凹部(13)の端面は係合用突片(12)に対応する円弧状に形成されている。また、前記係合用突片(12)および係合用凹部(13)の両外側には、連結部(11)の上面から挟持片(11)の外面に通じる逆Ｌ字形のスプリング嵌入溝(14)が形成され、溝端に有底の小孔(15)が形成されている。
【００２１】
また、前記挟持片(10)の一端側は、先端が二股に分岐して長さの異なる２つの掴み部(20)(21)が形成されている。これらの掴み部(20)(21)は内側に屈曲し、挟持片(10)(10)間に洗剤容器(2)を配置するための空間を形成している。また、分岐した掴み部(20)(21)の長さは、取り付ける洗剤容器(2)の形状に合わせたものである。
【００２２】
一方、前記挟持片(10)の他端側は、茎の先端に２枚の上向きの葉(22)(23)を有する形状にデザインされ、一対の挟持片(10)(10)間に摺洗具(3)を挿入して保持する保持部となされている。また、一方の葉(22)の内面には摺洗具(3)を斜めに保持するためのガイド(24)が突設され、他方の葉(23)には前記ガイド(24)よりも高さの低い滑落防止用の突条(25)が形成されている。
【００２３】
そして、前記一対の挟持片(10)(10)の連結部(11)(11)の係合用突片(12)と係合用凹部(13)を互いに嵌合させることにより、一対の挟持片(10)(10)は枢着可能に組み付けられるとともに、両方の挟持片(10)(10)のスプリング嵌入溝(14)(14)が連通する。連通した２組のスプリング嵌入溝(14)(14)に開環部を有するリング状スプリング(16)を嵌め込み、端部(16a)を小孔(15)に挿入することにより、一対の挟持片(10)(10)はその一端側が閉じ合わされる方向に付勢される。また、挟持片(10)(10)の他端側を近接方向に押圧することにより一端側が開き、押圧を解除すると閉じ合わされる。
【００２４】
以上のように、前記摺洗具ホルダー(1)は、一対の挟持片(10)(10)の他端側の押圧−押圧解除操作により一端側を開閉作動させて洗剤容器(2)を挟持するピンチとなされている。即ち、一対の挟持片(10)(10)の一端側が洗剤容器(2)を挟み付けかつ短長２組の掴み部(20)(20)、(21)(21)で洗剤容器(2)を掴むする装着手段（Ａ）となされ、開閉操作を行う他端側が摺洗具(3)を保持する保持部（Ｂ）となされている。
【００２５】
次に、上述した摺洗具ホルダー(1)の使用方法について、図４を参照しつつ説明する。
【００２６】
前記洗剤容器(2)は、容器本体(31)の開口頭部にキャップ(32)を介してトリガー式噴霧器(33)を装着したトリガー式噴霧容器である。このトリガー式噴霧容器(2)において、トリガー(34)を引くと、容器本体(31)内の洗剤が液中に挿入された送液チューブから吸引されて噴射口(35)から噴霧される。
【００２７】
前記摺洗具ホルダー(1)は、保持部（Ｂ）を押圧して挟持片(10)の一端側を開き、トリガー式噴霧器(33)を上方から挟み付けて取り付ける。２組の掴み部(20)(20),(21)(21)は先端が屈曲しているため、トリガー式噴霧器(33)に巻き付けるようにしっかりと挟持することができて装着安定性が良い。また、図示例のトリガー式噴霧器(33)は、キャップ(32)を中心として噴射口(35)側がテール(36)側よりも細く形成されているため、短い掴み部(20)(20)で噴射口(35)側を挟み、長い掴み部(21)(21)でテール(36)側を挟むことにより、フィット性が高まってしっかりと挟み付けることができる。また、前記摺洗具ホルダー(1)を装着したままで、支障なくトリガー(34)を引くことができる。
【００２８】
そして、摺洗具(3)を挟持片(10)(10)間、即ち保持部（Ｂ）に保持させる。摺洗具(3)は洗剤容器(2)と一体に保管されるので場所を取らずに保管できる。また、摺洗具(3)をガイド(24)に沿わせると斜めに保持されるので、摺洗具(3)が含んでいる水は斜めに伝って最も低い部分に集まるので水切れが良い。また、摺洗具(3)の保水力を超えた水が滴り落ちたとしても、１箇所に集中するので広がらない。
【００２９】
なお、摺洗具ホルダー(1)を洗剤容器(2)に装着した状態において、一対の挟持片(10)(10)の一端側の開き角度が大きくなるほど他端側が接近する。図示した使用例では、挟持片(10)(10)の他端側がほぼ平行になって摺洗具(3)の保持スペースを形成している。この保持スペースは挟持片(10)(10)の開き角度、換言すれば洗剤容器(2)の大きさによって変化するが、摺洗具(3)はスポンジや不織布等の変形性に富む材料で作られているため、挟持片(10)(10)間の間隔よりも厚いものであっても無理なく保持することができる。従って、本実施形態の摺洗具ホルダー(1)は、装着する洗剤容器(2)に対しても、保持する摺洗具(3)に対しても融通が利いて汎用性が高く、洗剤容器(2)への着脱も簡単である。
【００３０】
また、前記連結部(11)の他方の挟持片(10)側への突出高さは、挟持する洗剤容器(2)の大きさに応じて適宜設定すれば良い。さらに、洗剤容器(2)の挟持部分の形状に応じて挟持片(10)の形状や掴み部(20)(21)の形状は任意に設定することができる。摺洗具(3)を斜めに保持するためのガイド(24)や滑落防止用の突起(25)の有無および形状も任意である。
【００３１】
また、洗剤容器の上方から挟持することにも限定されず、洗剤容器の形状に応じて側方から挟持しても良い。
【００３２】
本考案の摺洗具ホルダーは、枢着された一対の挟持片によるピンチ型に限定されるものではない。例えば、台座の上面側に保持部を形成し、下面側に洗剤容器に被せる凹部を形成したものも本考案に含まれる。
【００３３】
また、洗剤容器は図示例のトリガー式噴霧容器(2)に限定されず、頭部を押し込むプッシュ式噴霧容器、あるいは噴霧式以外の容器であっても良い。容器から洗剤を出すときは保持部から摺洗具を外すので、保持した摺洗具が洗剤出口を塞ぐような形状でも良い。
【産業上の利用可能性】
【００３４】
本考案の摺洗具ホルダーは、各種洗剤容器に装着して摺洗具を場所を取らずに保管できる。しかも、洗剤容器に対しても摺洗具に対しても汎用性が高い。
【図面の簡単な説明】
【００３５】
【図１】本考案の摺洗具ホルダーの一実施形態を示す斜視図である。
【図２】図１の摺洗具ホルダーの分解斜視図である。
【図３Ａ】挟持片の外面側を示す側面図である。
【図３Ｂ】挟持片の内面側を示す側面図である。
【図４】図１の摺洗具ホルダーをトリガー式噴霧容器に装着した状態を示す斜視図である。
【符号の説明】
【００３６】
１…摺洗具ホルダー
２…トリガー式噴霧容器（洗剤容器）
３…摺洗具
Ａ…装着手段
Ｂ…保持部
10…挟持片
11…連結部
20,21…掴み部
24…ガイド
【図１】
0003126592.tif 000003
【図２】
0003126592.tif 000004
【図３Ａ】
0003126592.tif 000005
【図３Ｂ】
0003126592.tif 000006
【図４】
0003126592.tif 000007